(57)【要約】【課題】  狭い場所での操作性が良好でかつ優れた気密性を有する分岐継手を提供する。【解決手段】  分岐継手３は、元管１の外周面に締結される上側本体５と下側本体６を備え、下側本体６は、元管１と連通可能でかつ端部が着脱自在なキャップ８で密閉される分岐部６４と分岐部６４から元管１と交差する方向に伸びる分岐管受容部６５を有し、分岐部６４の内部に上向きに駆動されるホルソー７が装入され、下側本体６に元管１に対して密着する耐火性パッキン９３が嵌装され、分岐部６４とホルソー７及び分岐部６４とキャップ８がＯリング９１、メタルシール９２で封止されている。【選択図】        図２
2005155706.tif 000002
【特許請求の範囲】
【請求項１】
元管の外周面に締結される上側本体と下側本体を備え、前記下側本体は前記元管と連通可能でかつ端部が着脱自在な蓋部材で密閉される分岐部と前記分岐部から前記元管と交差する方向に伸びる分岐管収容部を有し、前記分岐部の内部に上向きに駆動される穿孔部材が装入され、前記下側本体に前記元管に対して密着する耐火性シール部材が嵌装され、前記分岐部と前記穿孔部材及び前記分岐部と前記蓋部材がシール部材で封止されていることを特徴とする分岐継手。
【請求項２】
前記耐火性シール部材の周囲に、シールパッキングが嵌装されていることを特徴とする請求項１に記載の分岐継手。
【請求項３】
前記上側本体と前記下側本体に前記元管に当接するねじ部材が装着されていることを特徴とする請求項２に記載の分岐継手。
【発明の詳細な説明】
【技術分野】
【０００１】
本発明は、屋内のガス配管を構成する元管から分岐管を取り出すために使用される分岐継手に関する。
【背景技術】
【０００２】
店舗内や工場内に敷設される屋内ガス配管においては、元管から分岐管を取出して、この分岐管の末端にガス器具が接続される。ガスの供給を停止して元管を切取り、分岐取出しを行うと、ガス使用者の業務に支障を来たすので、夜間や休日等のガス使用者が使用しない時に配管施工を行うなどのガス使用者の業務に支障が無いような配慮が必要で、また取出し位置も天井裏などの作業がしにくい場所である。そこでこれらの不具合を解消するために、元管に火薬を内蔵した継手を装着することが提案され、実用に供されている（特許文献１参照）。この継手（Ｔ−継手取付具）は、管（元管）の下側外周面を覆う下側ハウジングと、管と直交する方向から枝管（分岐管）がねじ込まれかつ枝管と連通する空間部に連なる通路を有する上側ハウジングをボルトで締付け固定し、通路に、全面に切削刃を有するピストンを挿入し、ピストンの後端に火薬を収納した、点火ピン付ソケットを有するカートリッジを装填しその後端にナットを螺合した構造を備えている。この継手によれば、例えばハンマーで点火ピンに打撃を与えることにより、火薬の爆発エネルギーでピストンが作動して、管の一部が切取られて、管と枝管が連通される。
【０００３】
上記の継手によれば、継手の装着とハンマーによる打撃といった簡単な操作で分岐取出しを行えるという利点を有するが、次のような問題点がある。火薬を使用するので、継手製造後長期間保存した場合などで、火薬の吸湿により不発に終わるあるいは爆発力が不足してピストンが途中で止まるという現象が発生し、別の継手と交換するあるいは別の場所で作業をやり直す必要がある。また火薬の爆発により、配管施工には大音響や配管の振動が伴う。火薬を使用するので、火薬類の保管・取扱いに関する規定が厳しい国内では継手の安定した供給が困難で、入手に長期間を要するという問題もある。
【０００４】
また火薬を使用しない分岐取出し継手を使用することも考えられる。例えば特許文献２には、鋼管の外周面に上下に分割して戴置した金属製の上サドルをボルト及びナットにより鋼管の外面に挟着固定し、上サドルに設けた分岐接続から樹脂管を分岐取出しする継手であって、上サドルは、少なくとも外表面に樹脂被覆層を設け、中央部の穿孔用主管から側部に分岐した分岐口に樹脂製短管を分岐用に固定した樹脂管接続部を設けることが記載されている。ホルソーを内装する筒体から筒体の雌ねじに螺合する先端に鋸歯状の切刃をもったホルソーをドリルなどで回転して、樹脂管を穿孔することが記載されている。しかるにこの分岐取出し継手によれば、ホルソーを上から下に移動させる構造なので、狭い作業スペースしか取れない天井裏での屋内配管には、適用できないという難点がある。
【０００５】
【特許文献１】特公平１−５１７１９号公報（第２〜４頁、図１）
【特許文献２】特開平９−３２９８９号公報（第３〜４頁、図１）
【発明の開示】
【発明が解決しようとする課題】
【０００６】
従って、本発明の目的は、狭い場所での操作性が良好でかつ優れた気密性を有する分岐継手を提供することである。
【課題を解決するための手段】
【０００７】
上記目的を達成するために、本発明は、元管の外周面に締結される上側本体と下側本体を備え、前記下側本体は、前記元管と連通可能でかつ端部が着脱自在な蓋部材で密閉される分岐部と前記分岐部から前記元管と交差する方向に伸びる分岐管収容部を有し、前記分岐部の内部に上向きに駆動される穿孔部材が装入され、前記下側本体に前記元管に対して密着する耐火性シール部材が嵌装され、前記分岐部と前記穿孔部材及び前記分岐部と前記蓋部材がシール部材で封止されていることを特徴とするものである。
本発明においては、前記耐火性シール部材の周囲に、シールパッキングが嵌装されていることが好ましい。また本発明においては、前記上側本体と前記下側本体に前記元管に当接するねじ部材が装着されていることがより好ましい。
【発明の効果】
【０００８】
本発明によれば、火薬を使用しないので、施工前の使用期限に制限がなくまた安定した供給が可能となり、しかも大音響や配管の振動を伴わずに配管施工することができ、さらに爆発力不足による穿孔中断を防止することもできる。しかも本発明によれば、蓋部材を取り外してから下側本体に装入された穿孔部材を上向きに駆動し、穿孔部材を元の位置に戻してから再び蓋部材を装着するだけの操作で、元管から分岐管を取出すことができる。
【発明を実施するための最良の形態】
【０００９】
以下本発明の詳細を添付図面により説明する。図１は本発明の分岐継手を使用した屋内配管の一例を示す斜視図、図２は本発明の実施の形態に係る分岐継手を示す断面図、図３は図２のＡ−Ａ線断面図、図４は図１の分岐継手の使用状態を示す断面図である。
【００１０】
図１に示す屋内配管においては、天井裏に配設された元管１に分岐継手３を介して分岐管２が接続され、分岐管２の途中には中間ガス栓２０が設けられている。この分岐継手３は、図２及び図３（分岐終了後の状態）に示す構造を有する。分岐継手３は、２組の六角穴付ボルト４で締結される上側本体５と下側本体６を有する。上側本体５は元管１に外接するサドル部５１とその両端部に複数（図では４本）の六角穴付ボルト４がねじ込まれる締付け部５２を有する。下側本体６は元管１に外接するサドル部６１とその両端部に六角穴付ボルト４が、挿通される締付け部６２を有する。サドル部６１には、元管１から下方に伸びる連通穴６３を有する分岐部６４が形成され、そこから元管１と直交する方向に（平面からみて）延出する分岐管受容部６５が形成され、分岐管受容部６５には分岐管２の先端が螺合されている。分岐部６４の内部には、一方の端面に鋸刃状の切刃７１を有しかつ他端側に駆動部７２を有するホルソー７が挿入されている。分岐部６４の端部に形成された縮径部６６の外周には、キャップ８が螺合されると共に、縮径部６６の内周面には２条の円周溝６７、６７が形成され、そこに一対のＯリング９１、９１が嵌装されている。またキャップ８の内周面の縮径部６６に当接する面にも円周溝６８が設けられ、そこにＯリング９２が嵌装されている。下側本体６のサドル部６１には、元管１の非穿孔部１ａを取り囲む円周溝６８が形成され、そこに元管１の外周面に密着する耐火パッキング９３とシールパッキング９４が嵌装されている。上側本体５１と下側本体６１は、六角穴付ボルト４で元管１に強固に締結固定できるようにするために、剛性の大なる材料、例えば鉄鋼材料（可鍛鋳鉄等）で形成され、またキャップ８も、下側本体６１に強固に固定できるようにするために、剛性の大なる材料、例えば鉄鋼材料（ＳＳ材等）で形成される。Ｏリング９１、９１とメタルシール９２及びシールパッキング９４は、耐油性、耐水性及び耐ガス透過性などに優れたジェン系特殊ゴム｛例えばニトリルゴム（ＮＢＲ）｝で形成され、耐火パッキング９３は、例えばニトリルゴム（ＮＢＲ）と膨張黒鉛との混合物で形成される。
【００１１】
上記分岐継手によれば、図４に示すようにして配管施工を行うことができる。元管１の分岐箇所に、上側本体５と下側本体６を六角穴付ボルト４で締付け、固定する。下側本体６の分岐管受容部６５に分岐管２をねじ込み、分岐管２の途中に中間ガス栓２０（図１参照）を設置してからそのガス栓を閉じる。一方電動穿孔機１１の先端にチャック１２を介して保持されたホルダ１３の先端にアダプタ１４を装着した後、下側本体６からキャップ８を取り外し、ホルソー７の駆動部７２にアダプタ１４を挿入・接続する。次いで電動穿孔機１１を回転させることにより、ホルソー７を上昇させて、元管１に穿孔した後、アダプタ１４を駆動部７２から引き抜いて、ホルソー７を元の位置に戻してから、キャップ８で蓋をする。ホルソー７とアダプタ１４の連結部が上下動するが、この間の外部へのガス漏れはＯリング９１が距離をおいて２個設置してあることにより防止できる。この上向きの穿孔動作により、元管１から発生した切片や切粉は連通穴６３内に落下し、そこに収容されるので、正常なガスの流動を阻害することは無い。電動穿孔機１１は、ガス配管で使用されることを考慮して防爆形の電気ドリルを使用することが望ましい。
【００１２】
上記の分岐構造によれば、火薬を内蔵した分岐継手を使用せずに屋内の分岐配管を行えるので、大音響及び振動を伴わずに配管施工が可能で、また大量の在庫をもつ必要がなく、施工前の使用期限の制約を受けない。さらに穿孔の中断が無いといった利点を有する。しかも上記の構造によれば、元管１と上側本体５との接触面がシールパッキング９４と耐火パッキング９３で密封されると共に、下側継手本体６とホルソー７との摺動面にＯリング９１、９１が嵌装されているため、ガス漏れを確実に防止することができる。これにより、ガス栓２０を開放した状態で、穿孔作業を行うことが可能となる。また元管１と上側本体５との接触面に耐火パッキング９３が装着されているので、屋内配管に要求される耐火性を付与することができる。
【００１３】
元管１が熱可塑性樹脂（例えば塩化ビニール）で被覆されたカラー鋼管の場合には、継手本体に、先端が素管に当接する（好ましくは食い込む）まで六角穴付止めねじ１０（図２に破線及び一点鎖線で示す）をねじ込むことが好ましい。これにより、火災により熱可塑性樹脂が消失した場合でも、元管１に対する上側本体５、下側本体６の位置関係が変動せず、耐火パッキング９３の熱膨張により隙間を埋めるので、元管１と分岐継手３との隙間からのガス漏れ（裏漏れ）を防止することが可能となる。
【図面の簡単な説明】
【００１４】
【図１】本発明の分岐継手を使用した屋内配管の一例を示す斜視図である。
【図２】本発明の実施の形態に係る分岐継手を示す半縦断面図である。
【図３】図１をＡ−Ａ線半断面図である。
【図４】本発明の分岐継手の使用状態を示す半縦断面図である。
【符号の説明】
【００１５】
１：元管、１ａ：非穿孔部、２：分岐管、２０：中間ガス栓、３：分岐継手、４：六角穴付ボルト、５：上側本体、５１：サドル部、５２：締結部、６：下側本体、６１：サドル部、６２：締結部、６３：連通穴、６４：分岐部、６５：分岐管受容部、６６：縮径部、６７：円周溝、７：ホルソー、７１：切刃部、７２：駆動部、８：キャップ、８１：円周溝、９１：Ｏリング、９２：メタルシール、９３：耐火パッキン、９４：シールパッキン、１０：六角穴付止めねじ、１１：電動穿孔機、１２：アダプタ、１３：ホルダ、１４：チャック
【図１】
2005155706.tif 000003
【図２】
2005155706.tif 000004
【図３】
2005155706.tif 000005
【図４】
2005155706.tif 000006